(57)【要約】【課題】  従来技術によってユニットを組み合わせて建物を建設すると、わずかなユニット同士の接合位置のずれが積み重なることによって建物全体の歪みの原因となり、建物の長期維持に対する信頼性の低下につながることが問題であった。【解決手段】  居住ユニット同士を接合する部分に接合板を組み込むことによって、水平方向及び上下方向に多数の居住ユニット同士が接合された建物を建設した場合であっても、居住ユニット同士が高精度に位置合わせがなされ、歪みのない建物を実現できる建物の接合構造を実現することができる。さらに、居住ユニット同士の接合に由来する歪みがない建物を実現することにより、居住ユニットを組み立てて建築する建物の長期維持に対する信頼性の向上を図ることができる。【選択図】  図２
2020076282.tif 000002
【特許請求の範囲】
【請求項１】
上端が柱頭ダイヤフラムによって閉塞されてなると共に下端が柱脚ダイヤフラムによって閉塞された中空の鋼管柱、及び梁によって居住空間を形成する複数の居住ユニットが、それぞれの鋼管柱を接合中心の左下、右下、左上、及び右上に配置した際の左下居住ユニット、右下居住ユニット、左上居住ユニット、及び右上居住ユニットを接合して建物を構成する接合板であって、
前記接合中心を境界として左側部及び右側部を有し、
前記左側部には、左側ガイドピン挿通孔、左側位置合わせ孔、及び左側ボルト貫通孔が形成され、
前記右側部には、右側ガイドピン挿通孔、右側位置合わせ孔、及び右側ボルト貫通孔が形成されてなる
ことを特徴とする接合板。
【請求項２】
上端が柱頭ダイヤフラムによって閉塞されてなると共に下端が柱脚ダイヤフラムによって閉塞された中空の鋼管柱、及び梁によって居住空間を形成する複数の居住ユニットが、それぞれの鋼管柱を接合中心の左下、右下、左上、及び右上に配置して、前記接合中心に設置された接合板を介して左下居住ユニット、右下居住ユニット、左上居住ユニット、及び右上居住ユニットが接合されて建物を構成する建物の接合構造であって、
前記接合板は、前記接合中心を境界として左側部及び右側部を有し、
前記左側部には、左側ガイドピン挿通孔、左側位置合わせ孔、及び左側ボルト貫通孔が形成され、
前記右側部には、右側ガイドピン挿通孔、右側位置合わせ孔、及び右側ボルト貫通孔が形成され、
左下鋼管柱の柱頭ダイヤフラムには、前記左側ガイドピン挿通孔、前記左側位置合わせ孔、及び前記左側ボルト貫通孔と対応する位置に、左下ガイドピン取付孔、左下位置基準孔、及び左下ボルト固定孔が形成され、
右下鋼管柱の柱頭ダイヤフラムには、前記右側ガイドピン挿通孔、前記右側位置合わせ孔、及び前記右側ボルト貫通孔と対応する位置に、右下ガイドピン取付孔、右下位置基準孔、及び右下ボルト固定孔が形成され、
前記接合板が、前記左下ガイドピン取付孔を貫通して前記左下鋼管柱の柱頭ダイヤフラムから上方に突設された左側ガイドピンを前記左側ガイドピン挿通孔に挿通させると共に、前記右下ガイドピン取付孔を貫通して前記右下鋼管柱の柱頭ダイヤフラムから上方に突設された右側ガイドピンを前記右側ガイドピン挿通孔に挿通させて左下鋼管柱の上端面及び右下鋼管柱の上端面を橋渡した状態に設置され、
前記左側位置合わせ孔から前記左下位置基準孔にかけて左位置合わせピンが打ち込まれてなると共に、前記右側位置合わせ孔から前記右下位置基準孔にかけて右位置合わせピンが打ち込まれてなり、
前記左上居住ユニットは、左上鋼管柱の柱脚ダイヤフラムに、前記左側ガイドピン挿通孔と対応する位置に形成された左上ガイドピン取付孔に前記左側ガイドピンを挿通すると共に、前記左側ボルト貫通孔と対応する位置に形成された左上ボルト固定孔に挿通された左側固定ボルトによって、前記左下居住ユニットと接合され、
前記右上居住ユニットは、右上鋼管柱の柱脚ダイヤフラムに、前記右側ガイドピン挿通孔と対応する位置に形成された右上ガイドピン取付孔に前記右側ガイドピンを挿通すると共に、前記右側ボルト貫通孔と対応する位置に形成された右上ボルト固定孔に挿通された右側固定ボルトによって、前記右下居住ユニットと接合されてなる
ことを特徴とする建物の接合構造。
【請求項３】
前記左上ボルト固定孔の内径が前記左下ボルト固定孔の内径よりもわずかに大きく形成され、
前記右上ボルト固定孔の内径が前記右下ボルト固定孔の内径よりもわずかに大きく形成され、
鍔部と鍔部の下端から下方に延出した筒状部とからなり、鍔部から筒状部の下端にかけて前記左側固定ボルトを挿通可能な貫通孔を有するハット型ワッシャーが、前記左側固定ボルトと前記左上ボルト固定孔との間に嵌め入れられてなる
ことを特徴とする請求項２に記載の建物の接合構造。
【発明の詳細な説明】
【技術分野】
【０００１】
本発明は、組み立て式の居住ユニット互いに接合して建物を構成する接合板、及び建物の接合構造に関する。
【背景技術】
【０００２】
従来、工場で生産された部材を現場で組み立てて家屋を造る、いわゆる、プレハブ住宅は広く知られている。しかし、３階以上の家屋の建設になると、プレハブ方式で建設することは困難であった。従って、３階建の家屋では、鉄筋・鉄骨の建築物になされており、せいぜい鉄骨部材、床部材、壁面部材など、部分的な部材を工場で生産して現場で接合し組み立てる程度であった。また、従来のユニット式建築における居住ユニットの接合構造の場合、３階建ての住宅を建設するための相互間の接合構造としては、上下の居住ユニットを一本のボルトで接合する構造となっている（特許文献１）。
【先行技術文献】
【特許文献】
【０００３】
【特許文献１】特開平８−２８４２６０
【発明の概要】
【発明が解決しようとする課題】
【０００４】
しかし、従来技術によって居住ユニットを組み合わせて建物を建設すると、わずかな居住ユニット同士の接合位置のずれが積み重なることによって建物全体の歪みの原因となり、建物の長期維持に対する信頼性の低下につながることが問題であった。
【課題を解決するための手段】
【０００５】
そこで、上記課題を解決する手段として本発明に係る建物の接合板は、上端が柱頭ダイヤフラムによって閉塞されてなると共に下端が柱脚ダイヤフラムによって閉塞された中空の鋼管柱、及び梁によって居住空間を形成する複数の居住ユニットが、それぞれの鋼管柱を接合中心の左下、右下、左上、及び右上に配置した際の左下居住ユニット、右下居住ユニット、左上居住ユニット、及び右上居住ユニットを接合して建物を構成する接合板であって、前記接合中心を境界として左側部及び右側部を有し、前記左側部には、左側ガイドピン挿通孔、左側位置合わせ孔、及び左側ボルト貫通孔が形成され、前記右側部には、右側ガイドピン挿通孔、右側位置合わせ孔、及び右側ボルト貫通孔が形成されてなることを特徴とする。
【０００６】
また、上記課題を解決する手段として本発明に係る建物の接合構造は、上端が柱頭ダイヤフラムによって閉塞されてなると共に下端が柱脚ダイヤフラムによって閉塞された中空の鋼管柱、及び梁によって居住空間を形成する複数の居住ユニットが、それぞれの鋼管柱を接合中心の左下、右下、左上、及び右上に配置して、前記接合中心に設置された接合板を介して左下居住ユニット、右下居住ユニット、左上居住ユニット、及び右上居住ユニットが接合されて建物を構成する建物の接合構造であって、前記接合板は、前記接合中心を境界として左側部及び右側部を有し、前記左側部には、左側ガイドピン挿通孔、左側位置合わせ孔、及び左側ボルト貫通孔が形成され、前記右側部には、右側ガイドピン挿通孔、右側位置合わせ孔、及び右側ボルト貫通孔が形成され、左下鋼管柱の柱頭ダイヤフラムには、前記左側ガイドピン挿通孔、前記左側位置合わせ孔、及び前記左側ボルト貫通孔と対応する位置に、左下ガイドピン取付孔、左下位置基準孔、及び左下ボルト固定孔が形成され、右下鋼管柱の柱頭ダイヤフラムには、前記右側ガイドピン挿通孔、前記右側位置合わせ孔、及び前記右側ボルト貫通孔と対応する位置に、右下ガイドピン取付孔、右下位置基準孔、及び右下ボルト固定孔が形成され、前記接合板が、前記左下ガイドピン取付孔を貫通して前記左下鋼管柱の柱頭ダイヤフラムから上方に突設された左側ガイドピンを前記左側ガイドピン挿通孔に挿通させると共に、前記右下ガイドピン取付孔を貫通して前記右下鋼管柱の柱頭ダイヤフラムから上方に突設された右側ガイドピンを前記右側ガイドピン挿通孔に挿通させて左下鋼管柱の上端面及び右下鋼管柱の上端面を橋渡した状態に設置され、前記左側位置合わせ孔から前記左下位置基準孔にかけて左位置合わせピンが打ち込まれてなると共に、前記右側位置合わせ孔から前記右下位置基準孔にかけて右位置合わせピンが打ち込まれてなり、前記左上居住ユニットは、左上鋼管柱の柱脚ダイヤフラムに、前記左側ガイドピン挿通孔と対応する位置に形成された左上ガイドピン取付孔に前記左側ガイドピンを挿通すると共に、前記左側ボルト貫通孔と対応する位置に形成された左上ボルト固定孔に挿通された左側固定ボルトによって、前記左下居住ユニットと接合され、前記右上居住ユニットは、右上鋼管柱の柱脚ダイヤフラムに、前記右側ガイドピン挿通孔と対応する位置に形成された右上ガイドピン取付孔に前記右側ガイドピンを挿通すると共に、前記右側ボルト貫通孔と対応する位置に形成された右上ボルト固定孔に挿通された右側固定ボルトによって、前記右下居住ユニットと接合されてなることを特徴とする。
【０００７】
また前記接合構造は、前記左上ボルト固定孔の内径が前記左下ボルト固定孔の内径よりもわずかに大きく形成され、前記右上ボルト固定孔の内径が前記右下ボルト固定孔の内径よりもわずかに大きく形成され、鍔部と鍔部の下端から下方に延出した筒状部とからなり、鍔部から筒状部の下端にかけて前記左側固定ボルトを挿通可能な貫通孔を有するハット型ワッシャーが、前記左側固定ボルトと前記左上ボルト固定孔との間に嵌め入れられてなるものであっても好ましい。
【発明の効果】
【０００８】
本発明によれば、水平方向及び上下方向に多数の居住ユニット同士が接合された建物を建設した場合であっても、居住ユニット同士が高精度に位置合わせがなされ、歪みのない建物を実現できる建物の接合構造を実現することができる。
【０００９】
さらに、居住ユニット同士の接合に由来する歪みがない建物を実現することにより、居住ユニットを組み立てて建築する建物の長期維持に対する信頼性の向上を図ることができる。
【図面の簡単な説明】
【００１０】
【図１】接合板２の平面図（ａ）及びＡ−Ａ断面図（ｂ）である。平面図（ａ）及びＡ−Ａ断面図（ｂ）おいて長辺に対して直角に示された一点鎖線は、接合板２の左右中心線である。
【図２】接合構造１の概略を示す縦断面図であり、接合板２に対して鋼管柱１６ａ〜１６ｃが接合された後、鋼管柱１６ｄを接合する直前の様子を示す図である。
【図３】ハット型ワッシャー３４（３７）の平面図（ａ）、Ｂ−Ｂ断面図（ｂ）、及び（ｃ）下方からみた斜視図である。
【図４】居住ユニット１５ａ〜１５ｄが接合されてなる接合構造１の外観を示す斜視図である。
【図５】建物Ｄを構成する居住ユニット１５ａ〜１５ｄの位置関係を示す斜視図である。
【発明を実施するための形態】
【００１１】
以下、本発明に係る実施の形態を、図を参照しながら詳しく説明する。なお、本明細書及び図面において、実質的に同一の機能構成を有する構成要素については、同一の符号を付することにより重複説明を省略する。
【００１２】
図１は、本発明に係る接合構造１を構成する接合板２の構造を示す図である。接合板２は、平面中央部に設定された接合中心３を境界として左側部４及び右側部５を有する。本実施の形態において、接合板２は図１（ａ）に示すように、平面形状が長方形を形成してなる平板状の鋼板であり、接合中心３は、図１（ａ）の一点鎖線に示す接合板２の平面の長辺長さ中心である左右中心であってかつ短辺長さ中心に位置する点とする。
【００１３】
左側部４の左右中心には、接合中心３から等距離の位置に２つの左側ボルト貫通孔６，６が互いに離間して形成されてなる。また、左側部４には、短辺長さの中心線上であって、左側ボルト貫通孔６，６より接合中心３側に左側ガイドピン挿通孔７が形成されると共に、短辺８側に左側位置合わせ孔９が形成されてなる。
【００１４】
一方、右側部５の左右中心線上には、接合中心３から等距離の位置に２つの右側ボルト貫通孔１１，１１が互いに離間して形成されてなる。また、右側部５には、短辺長さの中心線上であって、右側ボルト貫通孔１１，１１より接合中心３側に右側ガイドピン挿通孔１２が形成されると共に、短辺１３側に右側位置合わせ孔１４が形成されてなる。
【００１５】
左側ボルト貫通孔６，６、左側ガイドピン挿通孔７、及び左側位置合わせ孔９、並びに、右側ボルト貫通孔１１，１１、右側ガイドピン挿通孔１２、及び右側位置合わせ孔１４は、図１（ｂ）のＡ−Ａ断面図に示すように、接合板２を厚さ方向に貫通してなる。なお、左側位置合わせ孔９、及び右側位置合わせ孔１４の平面側開口端部は上方に向かって拡開して形成されてなる。
【００１６】
次に、接合板２によって接合される居住ユニット１５について説明する。居住ユニット１５は、図４、５に示すように、上端が柱頭ダイヤフラム１７によって閉塞されると共にと下端が柱脚ダイヤフラム１８とが閉塞された中空の鋼管柱１６が四隅に設けられてなり、各鋼管柱１６を繋ぐ梁１９によって居住空間２０が形成されてなる。居住ユニット１５は、あらかじめ工場内において図５には図示しない内装工事を所定の工程まで済ませた状態で建物Ｄの建設現場へ輸送されて組み立てられる。
【００１７】
図２には、建物Ｄの建設現場へ輸送された４つの居住ユニット１５が接合板２によって互いに接合されて接合構造１が構成される様子の概略図を示す。
【００１８】
鋼管柱１６の柱頭ダイヤフラム１７には、柱頭ダイヤフラム１７の左右中心線に沿って２つのボルト固定孔２１，２１が互いに離間して形成されてなる。また、ボルト固定孔２１，２１を挟んで居住空間２０の外側にはガイドピン取付孔２２が形成され、ガイドピン取付孔２２とは反対側には位置基準孔２３が形成されてなる。
【００１９】
また、鋼管柱１６の柱脚ダイヤフラム１８には、柱脚ダイヤフラム１８の左右中心線に沿って２つのボルト固定孔２４，２４が互いに離間して形成されてなる。また、ボルト固定孔２４，２４を挟んで居住空間２０の外側にはガイドピン取付孔２５が形成されてなる。なお、柱頭ダイヤフラム１７及び柱脚ダイヤフラム１８の左右中心線は、鋼管柱１６の外周壁の横断面における左右側端縁を基準とすることが好ましい。
【００２０】
以下、図２の紙面に向かって、接合板２の中心に設定された接合中心３から、左下側の居住ユニット１５を左下居住ユニット１５ａ、右下側の居住ユニット１５を右下居住ユニット１５ｂ、左上側の居住ユニット１５を左上居住ユニット１５ｃ、及び右上側の居住ユニット１５を右上居住ユニット１５ｄとする。
【００２１】
また、左下居住ユニット１５ａについては鋼管柱１６、及び鋼管柱１６の柱頭ダイヤフラム１７を、左下鋼管柱１６ａ、柱頭ダイヤフラム１７ａとする。さらに、柱頭ダイヤフラム１７ａに設けられた前記孔を、それぞれ左下ボルト固定孔２１ａ，２１ａ、左下ガイドピン取付孔２２ａ、及び左下位置基準孔２３ａとする。
【００２２】
同様に、右下居住ユニット１５ｂについては鋼管柱１６、及び鋼管柱１６の柱頭ダイヤフラム１７を、右下鋼管柱１６ｂ、柱頭ダイヤフラム１７ｂとする。さらに、柱頭ダイヤフラム１７ｂに設けられた前記孔を、それぞれ右下ボルト固定孔２１ｂ，２１ｂ、右下ガイドピン取付孔２２ｂ、及び右下位置基準孔２３ｂとする。
【００２３】
また、左上居住ユニット１５ｃについては鋼管柱１６、及び鋼管柱１６の柱脚ダイヤフラム１８を、左上鋼管柱１６ｃ、柱脚ダイヤフラム１８ｃとする。さらに、柱脚ダイヤフラム１８ｃに設けられた前記孔を、それぞれ左上ボルト固定孔２４ｃ，２４ｃ、及び左上ガイドピン取付孔２５ｃとする。
【００２４】
同様に、右上居住ユニット１５ｄについては鋼管柱１６、及び鋼管柱１６の柱脚ダイヤフラム１８を、右上鋼管柱１６ｄ、柱脚ダイヤフラム１８ｄとする。さらに、柱脚ダイヤフラム１８ｄに設けられた前記孔を、それぞれ右上ボルト固定孔２４ｄ，２４ｄ、及び右上ガイドピン取付孔２５ｄとする。
【００２５】
さらに、左下ボルト固定孔２１ａ，２１ａと左上ボルト固定孔２４ｃ，２４ｃとは、左下居住ユニット１５ａの上に左上居住ユニット１５ｃを積み重ねた際に、垂直方向に孔の中心が一致する位置に対応して形成されてなる。また、左下ガイドピン取付孔２２ａ、及び左上ガイドピン取付孔２５ｃについても、左下居住ユニット１５ａの上に左上居住ユニット１５ｃを積み重ねた際に、垂直方向に孔の中心が一致する位置に対応して形成されてなる。
【００２６】
同様に、右下ボルト固定孔２１ｂ，２１ｂと右上ボルト固定孔２４ｄ，２４ｄとは、右下居住ユニット１５ｂの上に右上居住ユニット１５ｄを積み重ねた際に、垂直方向に孔の中心が一致する位置に対応して形成されてなる。また、右下ガイドピン取付孔２２ｂ、及び右上ガイドピン取付孔２５ｄについても、右下居住ユニット１５ｂの上に右上居住ユニット１５ｄを積み重ねた際に、垂直方向に孔の中心が一致する位置に対応して形成されてなる。
【００２７】
次に、接合構造１の形成手順について説明する。まず、左下居住ユニット１５ａと、右下居住ユニット１５ｂとを、左下鋼管柱１６ａと右下鋼管柱１６ｂとを左右に近接させて設置する。次に、左側ガイドピン２６を、左下ガイドピン取付孔２２ａの下方から貫通させると共に、螺合させて取り付ける。なお、左側ガイドピン２６は、さらにナット２６ａによって柱頭ダイヤフラム１７ａに対して確実に締結されてなる。また、右下ガイドピン取付孔２２ｂに対しても、右側ガイドピン２７を下方から貫通させた状態で螺合させて取り付ける。なお、右側ガイドピン２７は、さらにナット２７ｂによって柱頭ダイヤフラム１７ｂに対して確実に締結されてなる。
【００２８】
そして、柱頭ダイヤフラム１７ａ及び柱頭ダイヤフラム１７ｂから上方に突設された左側ガイドピン２６及び右側ガイドピン２７に、接合板２の左側ガイドピン挿通孔７及び右側ガイドピン挿通孔１２を挿通させて接合板２を設置する。これにより接合板２は、左下鋼管柱１６ａと右下鋼管柱１６ｂとの上端面を橋渡した状態に設置される。
【００２９】
左下鋼管柱１６ａと右下鋼管柱１６ｂとの上端面に設置された接合板２は、左側ボルト貫通孔６，６が左下ボルト固定孔２１ａ，２１ａのそれぞれと、垂直方向に孔の中心がほぼ一致する位置に対応して形成されてなる。また、左側位置合わせ孔９と左下位置基準孔２３ａとの垂直方向に孔の中心が、ほぼ一致する位置に対応して形成されてなる。さらに、右側ボルト貫通孔１１，１１が右下ボルト固定孔２１ｂ，２１ｂのそれぞれと、垂直方向に孔の中心がほぼ一致する位置に対応して形成されてなる。さらにまた、右側位置合わせ孔１４と右下位置基準孔２３ｂとの垂直方向に孔の中心が、ほぼ一致する位置に対応して形成されてなる。なお、左側位置合わせ孔９と左下位置基準孔２３ａとの垂直方向に孔の中心位置のずれ、及び、右側位置合わせ孔１４と右下位置基準孔２３ｂとの垂直方向に孔の中心位置のずれは、ずれが生じている場合であっても１ｍｍ以下である。
【００３０】
ここで、左側位置合わせ孔９から左下位置基準孔２３ａにかけて左位置合わせピン２８が打ち込まれることによって、左側位置合わせ孔９と左下位置基準孔２３ａとの間でわずかに生じていた垂直方向の孔の中心位置のずれを一致させることができる。同じく、右側位置合わせ孔１４から右下位置基準孔２３ｂにかけて右位置合わせピン２９が打ち込まれることによって、右側位置合わせ孔１４と右下位置基準孔２３ｂとの間でわずかに生じていた垂直方向の孔の中心位置のずれを一致させることができる。
【００３１】
これにより、左下居住ユニット１５ａと右下居住ユニット１５ｂとを、完全にずれのない状態で左右に設置することができる。
【００３２】
なお、左側位置合わせ孔９の上開口端９ａが上方に拡開する形状に面取りされ、左位置合わせピン２８が、頭部を前記上開口端９ａの面取り部に密着して嵌め込み可能な皿ネジに形成されることによって、位置ずれ解消効果を、さらに高めることができる。また、右側位置合わせ孔１４の上開口端１４ａ及び右位置合わせピン２９も同様の形状に形成することで、同じく位置ずれ解消効果を、さらに向上させることができる。
【００３３】
その後、左側ガイドピン２６に左上ガイドピン取付孔２５ｃを挿通させて、左下居住ユニット１５ａ上に左上居住ユニット１５ｃを積み重ねる。さらに、左側固定ボルト３０，３０を左下ボルト固定孔２１ａ，２１ａから左側ボルト貫通孔６，６を介して左上ボルト固定孔２４ｃ，２４ｃを挿通させて、ナット３１，３１で締結することで左下居住ユニット１５ａ上に左上居住ユニット１５ｃを固定させる。
【００３４】
さらに、右上居住ユニット１５ｄについても、右側ガイドピン２７に右上ガイドピン取付孔２５ｄを挿通させて、右下居住ユニット１５ｃ上に右上居住ユニット１５ｄを積み重ねる。次に、右側固定ボルト３２，３２を右下ボルト固定孔２１ｂ，２１ｂから右側ボルト貫通孔１１，１１を介して右上ボルト固定孔２４ｄ，２４ｄを挿通させて、ナット３３，３３で締結することで右下居住ユニット１５ｂ上に右上居住ユニット１５ｄを固定させる。
【００３５】
以上により、図４に示すような、左下居住ユニット１５ａ、右下居住ユニット１５ｂ、左上居住ユニット１５ｃ、及び右上居住ユニット１５ｄが、接合板２によって互いに接合された接合構造１を実現することができる。
【００３６】
接合構造１によれば、左下居住ユニット１５ａと右下居住ユニット１５ｂとを、完全にずれのない状態で左右に設置することができると共に、左上居住ユニット１５ｃ及び右上居住ユニット１５ｄを、正確な位置に設置された左下居住ユニット１５ａ及び右下居住ユニット１５ｂの上に積み重ねることができるため、居住ユニット１５同士が高精度に位置合わせがなされ、歪みのない建物Ｄを実現することができる。
【００３７】
また、上記と同様に、より多くの数からなる複数の居住ユニット１５の組み合わせを上下、左右に拡張し、それぞれの接合中心３において接合板２を介して接合構造１を構成することによって、高精度の位置合わせがなされ、歪みのない高層で大型の建物Ｄを実現することができる。
【００３８】
また、鋼管柱１６ａ〜１６ｄには、それぞれ側壁に作業穴Ｈ１，Ｈ３，Ｈ５，Ｈ７が設けられてなる。さらに、鋼管柱１６ａ〜１６ｄの内部に形成されてなる隔壁４０ａ〜４０ｄには、それぞれ作業穴Ｈ２，Ｈ４，Ｈ６，Ｈ８が設けられてなる。作業者は、居住ユニット１５ａ〜１５ｄを組み立てる際に、作業穴Ｈ１〜Ｈ８を介して自己の腕や工具を鋼管柱１６の内部に挿し入れて作業をすることができる。居住ユニット１５ａの鋼管柱１６ａを例とすると、作業者は工具を持った腕を作業穴Ｈ１から作業穴Ｈ２を通して挿し入れて左側ガイドピン２６及び左側固定ボルト３０を取り付ける。また、居住ユニット１５ｃを設置した後、作業者は工具を持った腕を作業穴Ｈ５から作業穴Ｈ６を通して挿し入れて左側固定ボルト３０にナット３１を螺合させて作業を完了することができる。
【００３９】
さらに、図２に示すように、左上ボルト固定孔２４ｃの内径を左下ボルト固定孔２１ａの内径よりも僅かに大きく形成し、左上ボルト固定孔２４ｃと左側固定ボルト３０との間にハット型ワッシャー３４を嵌め込み可能としておくことが好ましい。
【００４０】
図３に示すように、ハット型ワッシャー３４は、上端に形成された鍔部３５と鍔部３５の下端から下方に延出した筒状部３６とからなり、鍔部３５から筒状部３６の下端にかけて左側固定ボルト３０を挿通可能な貫通孔を有する。
【００４１】
これにより、左上ボルト固定孔２４ｃの内径に対して、通常の左側固定ボルト３０に対する規定の内径よりも余裕のある大きさに形成することができるため、左下居住ユニット１５ａに対して左上居住ユニット１５ｃが僅かにずれて積み重ねられた状態であっても、左側固定ボルト３０を左下ボルト固定孔２１ａから左上ボルト固定孔２４ｃにかけて挿通させることが容易となる。さらに、左側固定ボルト３０を左上ボルト固定孔２４ｃに挿通後、ハット型ワッシャー３４の筒状部３６を、上方から左上ボルト固定孔２４ｃと左側固定ボルト３０との間に挿し入れながらナット３１を螺合させることで、鍔部３５が左上ボルト固定孔２４ｃの上端部に当接するまでハット型ワッシャー３４を嵌め入れることができる。
【００４２】
そのため、左下居住ユニット１５ａと左上居住ユニット１５ｃとの垂直方向に対する位置ずれが僅かにある場合であっても、互いの垂直位置関係を完全にずれのない状態とすることができる。
【００４３】
さらに、当該垂直位置関係のずれの解消効果は、右上ボルト固定孔２４ｄの内径を右下ボルト固定孔２１ｂの内径よりも僅かに大きくして、ハット型ワッシャー３４と同じく鍔部３８及び筒状部３９を有するハット型ワッシャー３７を嵌め入れ可能に設けることによって、右下居住ユニット１５ｂと右上居住ユニット１５ｄとの間においても発揮させることができる。
【００４４】
すなわち、接合構造１にハット型ワッシャー３４、３７を加えることによって、左右に設置した居住ユニット１５同士の位置を正確とするだけでなく、上下に積み重ねた居住ユニット１５同士の位置を正確とすることができるため、居住ユニット１５同士がさらに高精度に位置合わせがなされ、歪みのない建物Ｄを実現することができる。
【００４５】
また、上記と同様に、より多くの数からなる複数の居住ユニット１５の組み合わせを上下、左右に拡張し、それぞれの接合中心３において接合板２を介してハット型ワッシャー３４、３７を備える接合構造１を構成することによって、さらに高精度の位置合わせがなされ、歪みのない高層で大型の建物Ｄを実現することができる。
【符号の説明】
【００４６】
１  接合構造
２  接合板
３  接合中心
６  左側ボルト貫通孔
７  左側ガイドピン挿通孔
９  左側位置合わせ孔
１１  右側ボルト貫通孔
１２  右側ガイドピン挿通孔
１４  右側位置合わせ孔
１５ａ〜１５ｄ  居住ユニット
１７ａ〜１７ｄ  柱頭ダイヤフラム
１８ａ〜１８ｄ  柱脚ダイヤフラム
３０  左側固定ボルト
３２  右側固定ボルト
３４  ハット型ワッシャー
３７  ハット型ワッシャー
【図１】
2020076282.tif 000003
【図２】
2020076282.tif 000004
【図３】
2020076282.tif 000005
【図４】
2020076282.tif 000006
【図５】
2020076282.tif 000007
【手続補正書】
【提出日】令和2年1月20日(2020.1.20)
【手続補正２】
【補正対象書類名】特許請求の範囲
【補正対象項目名】全文
【補正方法】変更
【補正の内容】
【特許請求の範囲】
【請求項１】
上端が柱頭ダイヤフラムによって閉塞されてなると共に下端が柱脚ダイヤフラムによって閉塞された中空の鋼管柱、及び梁によって居住空間を形成する複数の居住ユニットが、それぞれの鋼管柱を接合中心の左下、右下、左上、及び右上に配置して、前記接合中心に設置された接合板を介して左下居住ユニット、右下居住ユニット、左上居住ユニット、及び右上居住ユニットが接合されて建物を構成する建物の接合構造であって、
前記接合板は、前記接合中心を境界として左側部及び右側部を有し、
前記左側部には、左側ガイドピン挿通孔、左側位置合わせ孔、及び左側ボルト貫通孔が形成され、
前記右側部には、右側ガイドピン挿通孔、右側位置合わせ孔、及び右側ボルト貫通孔が形成され、
前記左側位置合わせ孔及び前記右側位置合わせ孔の上開口端は上方に拡開する形状に面取りされてなり、
左下鋼管柱の柱頭ダイヤフラムには、前記左側ガイドピン挿通孔、前記左側位置合わせ孔、及び前記左側ボルト貫通孔と対応する位置に、左下ガイドピン取付孔、左下位置基準孔、及び左下ボルト固定孔が形成され、
右下鋼管柱の柱頭ダイヤフラムには、前記右側ガイドピン挿通孔、前記右側位置合わせ孔、及び前記右側ボルト貫通孔と対応する位置に、右下ガイドピン取付孔、右下位置基準孔、及び右下ボルト固定孔が形成され、
前記接合板が、前記左下ガイドピン取付孔を貫通して前記左下鋼管柱の柱頭ダイヤフラムから上方に突設された左側ガイドピンを前記左側ガイドピン挿通孔に挿通させると共に、前記右下ガイドピン取付孔を貫通して前記右下鋼管柱の柱頭ダイヤフラムから上方に突設された右側ガイドピンを前記右側ガイドピン挿通孔に挿通させて左下鋼管柱の上端面及び右下鋼管柱の上端面を橋渡した状態に設置され、
前記橋渡された状態の前記接合板の位置において、前記左側位置合わせ孔から前記左下位置基準孔にかけて軸部よりも上方に向かって拡径してなる頭部を備える左位置合わせピンが上方から下方に向かって打ち込まれて前記頭部の下面と前記左位置合わせ孔の面取り面とが密着してなると共に、前記右側位置合わせ孔から前記右下位置基準孔にかけて軸部よりも上方に向かって拡径してなる頭部を備える右位置合わせピンが上方から下方に向かって打ち込まれて前記頭部の下面と前記右位置合わせ孔の面取り面とが密着してなり、
前記左上居住ユニットは、左上鋼管柱の柱脚ダイヤフラムに、前記左側ガイドピン挿通孔と対応する位置に形成された左上ガイドピン取付孔に前記左側ガイドピンを挿通すると共に、前記左位置合わせピン上に載置された状態で前記左側ボルト貫通孔と対応する位置に形成された左上ボルト固定孔に挿通された左側固定ボルトによって、前記左下居住ユニットと接合され、
前記右上居住ユニットは、右上鋼管柱の柱脚ダイヤフラムに、前記右側ガイドピン挿通孔と対応する位置に形成された右上ガイドピン取付孔に前記右側ガイドピンを挿通すると共に、前記右位置合わせピン上に載置された状態で、前記右側ボルト貫通孔と対応する位置に形成された右上ボルト固定孔に挿通された右側固定ボルトによって、前記右下居住ユニットと接合されてなる
ことを特徴とする建物の接合構造。
【請求項２】
前記左上ボルト固定孔の内径が前記左下ボルト固定孔の内径よりもわずかに大きく形成され、
前記右上ボルト固定孔の内径が前記右下ボルト固定孔の内径よりもわずかに大きく形成され、
鍔部と鍔部の下端から下方に延出した筒状部とからなり、鍔部から筒状部の下端にかけて前記左側固定ボルトを挿通可能な貫通孔を有する左側ハット型ワッシャーが、前記筒状部を前記左側固定ボルトと前記左上ボルト固定孔との間に嵌め入れられてなると共に、前記鍔部が前記左上ボルト固定孔の上端部に当接されてなり、
鍔部と鍔部の下端から下方に延出した筒状部とからなり、鍔部から筒状部の下端にかけて前記右側固定ボルトを挿通可能な貫通孔を有する右側ハット型ワッシャーが、前記筒状部を前記右側固定ボルトと前記右上ボルト固定孔との間に嵌め入れられてなると共に、前記鍔部が前記右上ボルト固定孔の上端部に当接されてなる
ことを特徴とする請求項１に記載の建物の接合構造。
【手続補正３】
【補正対象書類名】明細書
【補正対象項目名】０００６
【補正方法】変更
【補正の内容】
【０００６】
また、上記課題を解決する手段として本発明に係る建物の接合構造は、上端が柱頭ダイヤフラムによって閉塞されてなると共に下端が柱脚ダイヤフラムによって閉塞された中空の鋼管柱、及び梁によって居住空間を形成する複数の居住ユニットが、それぞれの鋼管柱を接合中心の左下、右下、左上、及び右上に配置して、前記接合中心に設置された接合板を介して左下居住ユニット、右下居住ユニット、左上居住ユニット、及び右上居住ユニットが接合されて建物を構成する建物の接合構造であって、前記接合板は、前記接合中心を境界として左側部及び右側部を有し、前記左側部には、左側ガイドピン挿通孔、左側位置合わせ孔、及び左側ボルト貫通孔が形成され、前記右側部には、右側ガイドピン挿通孔、右側位置合わせ孔、及び右側ボルト貫通孔が形成され、前記左側位置合わせ孔及び前記右側位置合わせ孔の上開口端は上方に拡開する形状に面取りされてなり、左下鋼管柱の柱頭ダイヤフラムには、前記左側ガイドピン挿通孔、前記左側位置合わせ孔、及び前記左側ボルト貫通孔と対応する位置に、左下ガイドピン取付孔、左下位置基準孔、及び左下ボルト固定孔が形成され、右下鋼管柱の柱頭ダイヤフラムには、前記右側ガイドピン挿通孔、前記右側位置合わせ孔、及び前記右側ボルト貫通孔と対応する位置に、右下ガイドピン取付孔、右下位置基準孔、及び右下ボルト固定孔が形成され、前記接合板が、前記左下ガイドピン取付孔を貫通して前記左下鋼管柱の柱頭ダイヤフラムから上方に突設された左側ガイドピンを前記左側ガイドピン挿通孔に挿通させると共に、前記右下ガイドピン取付孔を貫通して前記右下鋼管柱の柱頭ダイヤフラムから上方に突設された右側ガイドピンを前記右側ガイドピン挿通孔に挿通させて左下鋼管柱の上端面及び右下鋼管柱の上端面を橋渡した状態に設置され、前記橋渡された状態の前記接合板の位置において、前記左側位置合わせ孔から前記左下位置基準孔にかけて軸部よりも上方に向かって拡径してなる頭部を備える左位置合わせピンが上方から下方に向かって打ち込まれて前記頭部の下面と前記左位置合わせ孔の面取り面とが密着してなると共に、前記右側位置合わせ孔から前記右下位置基準孔にかけて軸部よりも上方に向かって拡径してなる頭部を備える右位置合わせピンが上方から下方に向かって打ち込まれて前記頭部の下面と前記右位置合わせ孔の面取り面とが密着してなり、前記左上居住ユニットは、左上鋼管柱の柱脚ダイヤフラムに、前記左側ガイドピン挿通孔と対応する位置に形成された左上ガイドピン取付孔に前記左側ガイドピンを挿通すると共に、前記左位置合わせピン上に載置された状態で前記左側ボルト貫通孔と対応する位置に形成された左上ボルト固定孔に挿通された左側固定ボルトによって、前記左下居住ユニットと接合され、前記右上居住ユニットは、右上鋼管柱の柱脚ダイヤフラムに、前記右側ガイドピン挿通孔と対応する位置に形成された右上ガイドピン取付孔に前記右側ガイドピンを挿通すると共に、前記右位置合わせピン上に載置された状態で、前記右側ボルト貫通孔と対応する位置に形成された右上ボルト固定孔に挿通された右側固定ボルトによって、前記右下居住ユニットと接合されてなることを特徴とする。
【手続補正４】
【補正対象書類名】明細書
【補正対象項目名】０００７
【補正方法】変更
【補正の内容】
【０００７】
また前記接合構造は、前記左上ボルト固定孔の内径が前記左下ボルト固定孔の内径よりもわずかに大きく形成され、前記右上ボルト固定孔の内径が前記右下ボルト固定孔の内径よりもわずかに大きく形成され、鍔部と鍔部の下端から下方に延出した筒状部とからなり、鍔部から筒状部の下端にかけて前記左側固定ボルトを挿通可能な貫通孔を有する左側ハット型ワッシャーが、前記筒状部を前記左側固定ボルトと前記左上ボルト固定孔との間に嵌め入れられてなると共に、前記鍔部が前記左上ボルト固定孔の上端部に当接されてなり、鍔部と鍔部の下端から下方に延出した筒状部とからなり、鍔部から筒状部の下端にかけて前記右側固定ボルトを挿通可能な貫通孔を有する右側ハット型ワッシャーが、前記筒状部を前記右側固定ボルトと前記右上ボルト固定孔との間に嵌め入れられてなると共に、前記鍔部が前記右上ボルト固定孔の上端部に当接されてなるものであっても好ましい。